(57)【要約】  本発明は、電源管理チップ(Power Management IC)に関し、特に、ＥＥＰＲＯＭが内蔵された電源管理チップに関する。ＥＥＰＲＯＭの記録動作または消去動作に必要な電圧を別の外部電圧源、または高電圧生成回路を利用して供給するものではなく、システムの動作で自然的に発生する電圧を調整して供給することで外部端子の数及びチップのサイズを減少させることができる電圧調整器を具備する。
2012507758.tif 000002
【特許請求の範囲】
【請求項１】
電源管理チップ(Power Management IC)において、
外部から供給された第１電圧(ＶＣＣ)を利用して第２電圧(ＶＤＤ)を生成してチャージポンプに供給する昇圧変換回路、基準電圧発生回路及びＥＥＰＲＯＭを具備した第１集積回路と、及び
前記チャージポンプの出力である第３電圧(ＶＧＨ)及び第４電圧(ＶＧＬ)の入力を受けて第５電圧(ＶＧＨ１)及び第６電圧(ＶＧＬ１)を出力する第２集積回路と、を具備して、
前記第２集積回路は前記第３電圧(ＶＧＨ)及び前記第４電圧(ＶＧＬ)、または前記第５電圧(ＶＧＨ１)及び前記第６電圧(ＶＧＬ１)を調整して、前記ＥＥＰＲＯＭの記録動作または消去動作に必要な電圧である第８電圧(ＶＥ２)及び第９電圧(ＶＥ３)を生成する電圧調整器をさらに具備することを特徴とする電圧調整器を具備した電源管理チップ。
【請求項２】
前記電圧調整器は、
前記基準電圧発生回路の出力電圧である第７電圧(ＶＥ１)を基準電圧にして、前記第８電圧(ＶＥ２)及び第９電圧(ＶＥ３)を生成することを特徴とする請求項１に記載の電圧調整器を具備した電源管理チップ。
【請求項３】
電源管理チップ(Power Management IC)において、
外部から供給された第１電圧(ＶＣＣ)を利用して第２電圧(ＶＤＤ)を生成してチャージポンプに供給する昇圧変換回路、基準電圧発生回路及びＥＥＰＲＯＭを具備した第１集積回路と、及び
前記チャージポンプの出力である第３電圧(ＶＧＨ)及び第４電圧(ＶＧＬ)の入力を受けて第５電圧(ＶＧＨ１)及び第６電圧(ＶＧＬ１)を出力する第２集積回路と、を具備して、
前記第２集積回路は前記第３電圧(ＶＧＨ)及び前記第４電圧(ＶＧＬ)、または前記第５電圧(ＶＧＨ１)及び前記第６電圧(ＶＧＬ１)を調整して前記ＥＥＰＲＯＭの記録動作または消去動作に必要な電圧である第８電圧(ＶＥ２)を生成する第１電圧調整器をさらに具備して、
前記第１集積回路は前記第８電圧(ＶＥ２)を調整して、前記ＥＥＰＲＯＭの記録動作または消去動作に必要な電圧である第９電圧(ＶＥ３)を生成する第２電圧調整器をさらに具備することを特徴とする電圧調整器を具備した電源管理チップ。
【請求項４】
前記第１電圧調整器は、前記基準電圧発生回路の出力電圧である第７電圧(ＶＥ１)を基準電圧にして前記第８電圧(ＶＥ２)を生成して、
前記第２電圧調整器は、前記基準電圧発生回路の出力電圧である第７電圧(ＶＥ１)を基準電圧にして前記第９電圧(ＶＥ３)を生成することを特徴とする請求項３に記載の電圧調整器を具備した電源管理チップ。
【請求項５】
前記昇圧変換回路で生成された前記第２電圧(ＶＤＤ)は、列駆動集積回路を駆動することに使用されることを特徴とする請求項２または４に記載の電圧調整器を具備した電源管理チップ。
【請求項６】
前記第５電圧(ＶＧＨ１)及び第６電圧(ＶＧＬ１)は、
行駆動集積回路に供給されて、ディスプレイセルの薄膜トランジスターをターンオンまたはターンオフさせることに使用されることを特徴とする請求項２または４に記載の電圧調整器を具備した電源管理チップ。
【請求項７】
前記第８電圧(ＶＥ２)は、前記第９電圧(ＶＥ３)よりハイレベルであることを特徴とする請求項２または４に記載の電圧調整器を具備した電源管理チップ。
【発明の詳細な説明】
【技術分野】
【０００１】
本発明は、電源管理チップ(Power management ＩＣ)に関するものであり、特に、ＥＥＰＲＯＭが内蔵された電源管理チップにおいて、ＥＥＰＲＯＭの記録動作または消去動作に必要な電圧を別の外部電圧源、または高電圧生成回路を利用して供給するものではなく、システムの動作で自然的に発生する電圧を調整して供給することで外部端子の数及びチップのサイズを減少させることができる電圧調整器を具備した電源管理チップに関するものである。
【背景技術】
【０００２】
一般的なアクティブマトリックス型フラットディスプレイシステムは、大きくディスプレイセル部と駆動部で構成されて、ディスプレイセル部はピクセル電極と薄膜トランジスターがマトリックス形態で配列されている。また、駆動部はシステムインターフェース、プリント回路基板(ＰＣＢ)、列駆動集積回路及び行駆動集積回路で構成される。
【０００３】
アクティブマトリックス型フラットディスプレイシステムでは、システムインターフェース(system Interface)を通じてデータ(Data)と制御信号(Control Signal)及び第１電圧(ＶＣＣ)がプリント回路基板(ＰＣＢ)に伝達する。この時、データ(Data)と制御信号(Control Signal)はタイミングコントローラ(Timing Controller:以下、‘ＴＣＯＮ'と称する)に伝達して、ＴＣＯＮを通過したデータ(Data)と制御信号(Control Signal)は行駆動集積回路(Row Drive IC)と列駆動集積回路(Column Drive IC)を駆動するために使用される。
【０００４】
行駆動集積回路(Row Drive IC)と列駆動集積回路(Column Drive IC)の出力はフラットディスプレイのセル(Cell)を駆動する。この時、セル内の薄膜トランジスター(Thin Film Transistor:以下‘ＴＦＴ'と称する)を駆動するためには高い電圧と低い電圧が必要である。
【０００５】
図１は、一般的なアクティブマトリックス型フラットディスプレイシステムのブロック図である。
【０００６】
図１を参考すると、アクティブマトリックス型フラットディスプレイシステムではシステムインターフェース(system Interface)１１０から第１電圧(ＶＣＣ)の供給を受ける。第１電圧(ＶＣＣ)は電源管理チップ１４０である昇圧変換集積回路(Boost Converter IC)によって第１電圧(ＶＣＣ)より高い第２電圧(ＶＤＤ)を生成する。第２電圧(ＶＤＤ)は列駆動集積回路(Column Drive IC)１６０の供給(Supply)電圧で使用されて、ＶＧＨ及びＶＧＬを作る電圧としても使用される。
【０００７】
チャージポンプ(Charge Pump)１５０は第２電圧(ＶＤＤ)を利用して第２電圧(ＶＤＤ)より高い電圧である第３電圧(ＶＧＨ)と第２電圧(ＶＤＤ)より低い電圧である第４電圧(ＶＧＬ)を生成する。生成された第３電圧(ＶＧＨ)と第４電圧(ＶＧＬ)は、レベルシフト集積回路(Level Shift IC)１２０の供給電圧として使用される。
【０００８】
レベルシフト集積回路１２０は、ＴＣＯＮ１３０で行駆動集積回路(Row Drive IC)１７０に伝達される複数の信号をディスプレイセル１８０のＴＦＴ１８１が駆動されることができる電圧範囲でシフト(Shift)させる。この時、シフトされてＴＦＴ１８１をターンオンまたはターンオフさせるのに使用される電圧は、第５電圧(ＶＧＨ１)と第６電圧(ＶＧＬ１)である。
【０００９】
このようにアクティブマトリックス型フラットディスプレイシステムでは、電源管理チップとチャージポンプ(Charge Pump)を通じてシステムで使用される複数の電圧を生成して、このような複数の電圧を所望のデータと制御信号によって所望の電圧範囲でシフトさせて使用する。
【００１０】
一方、最近になってパッケージ及びチップサイズ(Chip Size)による経済的特性を考慮して、低い電圧工程を使用する昇圧変換集積回路(Boost Converter IC)と高い電圧工程を使用するレベルシフト集積回路(Level Shift IC)を一つのパッケージにして電源管理チップを構成する‘２Chip-１Packaging'方法が使用されている。
【００１１】
図２は、従来のアクティブマトリックス型フラットディスプレイシステムで使用される電源管理チップのブロック図である。
【００１２】
図２に示すように、アクティブマトリックス型フラットディスプレイシステムに使用される電源管理チップ１４０は、昇圧変換集積回路１４１とレベルシフト集積回路１４２で構成される。このように２個の集積回路を一つのチップにパッケージングすることでチップのパッド数及びチップサイズを減少させることができる。
【００１３】
また、最近のアクティブマトリックス型フラットディスプレイシステムに使用される電源管理チップには、昇圧変換集積回路(Boost Converter IC)とレベルシフト集積回路(Level Shift IC)外にＥＥＰＲＯＭが内蔵(Embed)されたりする。ＥＥＰＲＯＭ(Electrically Erasable Programmable ROM:以下‘ＥＥＰＲＯＭ’と称する)は、各メモリーセルにフローティングゲート(Floating Gate)構造を備えてデータを保存して、このフローティングゲートに電子を注入することでデータを記録(program)して、前記フローティングゲートに注入された電子をとり除くことでデータを削除(erase)する動作をする。
【００１４】
このようにアクティブマトリックス型フラットディスプレイシステムに使用される電源管理チップにＥＥＰＲＯＭが内蔵された場合、ＥＥＰＲＯＭの記録(Program)及び消去(Erase)動作のための電圧が必要になる。従来は、このような電圧をＥＥＰＲＯＭが含まれる昇圧変換集積回路(Boost Converter IC)の端子を通じて別の外部電圧源から供給を受けるか、または電源管理チップの内部に形成された高電圧生成回路を通じて供給を受けた。
【００１５】
図３及び図４は、従来のアクティブマトリックス型フラットディスプレイシステムに使用されるＥＥＰＲＯＭが内蔵された電源管理チップのブロック図である。
【００１６】
図３及び図４を参考すると、従来のアクティブマトリックス型フラットディスプレイシステムでは、ＥＥＰＲＯＭ１４１aの記録(Program)及び消去(Erase)動作に必要な電圧を、外部端子１９１を通じて別の外部電圧源１９０から供給を受けるか、または電源管理チップ１４０内部に形成された高電圧生成回路１４３を利用して供給を受けていることを分かる。
【００１７】
このようにＥＥＰＲＯＭの記録(Program)及び消去(Erase)動作に必要な電圧を別の外部電圧源から供給を受けるか、または電源管理チップの内部に形成された高電圧生成回路を通じて供給を受ける場合には、パッド(Pad)が増加してチップサイズが大きくなる問題があり、電源外部端子によって電圧の供給を受けなければならないので、プリント回路基板(ＰＣＢ)上に集積回路が加えられなければならないなどの問題があった。
【発明の概要】
【発明が解決しようとする課題】
【００１８】
本発明が解決しようとする技術的課題は、ＥＥＰＲＯＭの記録動作または消去動作に必要な電圧を別の外部電圧源または高電圧生成回路から供給を受けないでシステムの動作で自然的に発生する電圧を調整して、供給を受けることで外部端子の数及びチップのサイズを減少させることができる電圧調整器を具備した電源管理チップを提供することにある。
【課題を解決するための手段】
【００１９】
前記技術的課題を達成するための本発明の一実施例による電圧調整器を具備した電源管理チップは、電源管理チップにおいて、外部から供給された第１電圧(ＶＣＣ)を利用して第２電圧(ＶＤＤ)を生成して、チャージポンプに供給する昇圧変換回路、基準電圧発生回路及びＥＥＰＲＯＭを具備した第１集積回路と、及び前記チャージポンプの出力である第３電圧(ＶＧＨ)及び第４電圧(ＶＧＬ)の入力を受けて第５電圧(ＶＧＨ１)及び第６電圧(ＶＧＬ１)を出力する第２集積回路と、を具備して、前記第２集積回路は、前記第３電圧(ＶＧＨ)及び前記第４電圧(ＶＧＬ)または前記第５電圧(ＶＧＨ１)及び前記第６電圧(ＶＧＬ１)を調整して、前記ＥＥＰＲＯＭの記録動作または消去動作に必要な電圧である第８電圧(ＶＥ２)及び第９電圧(ＶＥ３)を生成する電圧調整器をさらに具備することを特徴とする。
【００２０】
前記技術的課題を達成するための本発明の他の一実施例による電圧調整器を具備した電源管理チップは、電源管理チップにおいて、外部から供給された第１電圧(ＶＣＣ)を利用して第２電圧(ＶＤＤ)を生成してチャージポンプに供給する昇圧変換回路、基準電圧発生回路及びＥＥＰＲＯＭを具備した第１集積回路と、及び前記チャージポンプの出力である第３電圧(ＶＧＨ)及び第４電圧(ＶＧＬ)の入力を受けて第５電圧(ＶＧＨ１)及び第６電圧(ＶＧＬ１)を出力する第２集積回路と、を具備して、前記第２集積回路は前記第３電圧(ＶＧＨ)及び前記第４電圧(ＶＧＬ)または前記第５電圧(ＶＧＨ１)及び前記第６電圧(ＶＧＬ１)を調整して、前記ＥＥＰＲＯＭの記録動作または消去動作に必要な電圧である第８電圧(ＶＥ２)を生成する第１電圧調整器をさらに具備して、前記第１集積回路は前記第８電圧(ＶＥ２)を調整して、前記ＥＥＰＲＯＭの記録動作または消去動作に必要な電圧である第９電圧(ＶＥ３)を生成する第２電圧調整器をさらに具備することを特徴とする。
【発明の効果】
【００２１】
本発明による電圧調整器を具備した電源管理チップによると、アクティブマトリックス型フラットディスプレイシステムの動作上で自然に生成された電圧を調整して、ＥＥＰＲＯＭの記録動作または消去動作に必要な電圧で供給することで、別の外部電源から電圧の供給を受けるか、または電源管理チップの内部に高電圧生成回路を具備する必要がないので、外部端子の数が減って、チップのサイズが減少される効果がある。
【図面の簡単な説明】
【００２２】
【図１】一般的なアクティブマトリックス型フラットディスプレイシステムのブロック図である。
【図２】従来のアクティブマトリックス型フラットディスプレイシステムで使用される電源管理チップのブロック図である。
【図３】従来のアクティブマトリックス型フラットディスプレイシステムに使用されるＥＥＰＲＯＭを内蔵した電源管理チップのブロック図である。
【図４】従来のアクティブマトリックス型フラットディスプレイシステムに使用されるＥＥＰＲＯＭを内蔵した電源管理チップのブロック図である。
【図５】本発明の一実施例による電圧調整器を具備した電源管理チップの構成を示すブロック図である。
【図６】本発明の他の一実施例による電圧調整器を具備した電源管理チップの構成を示すブロック図である。
【発明を実施するための形態】
【００２３】
以下では本発明の具体的な実施例を、図面を参照して詳しく説明するようにする。
【００２４】
図５は、本発明の一実施例による電圧調整器を具備した電源管理チップの構成を示すブロック図である。
【００２５】
本発明の一実施例による電圧調整器を具備した電源管理チップ５２０は第１集積回路５２１及び第２集積回路５２２を具備する。
【００２６】
第１集積回路５２１は、ＥＥＰＲＯＭ５２１a、昇圧変換回路５２１ｂ及び基準電圧発生回路５２１ｃを具備する。昇圧変換回路５２１ｂは外部から供給された第１電圧(ＶＣＣ)を利用して第２電圧(ＶＤＤ)を生成してチャージポンプ５１０に供給する。基準電圧発生回路５２１ｃ及び昇圧変換回路５２１ｂの一般的な動作は、公知のものであるので詳細な説明は略することにする。
【００２７】
チャージポンプ５１０は第２電圧(ＶＤＤ)を利用して第２電圧(ＶＤＤ)より高い電圧である第３電圧(ＶＧＨ)と、第２電圧(ＶＤＤ)より低い電圧である第４電圧(ＶＧＬ)を生成する。このようなチャージポンプの動作は公知のものであるので詳細な説明は略することにする。
【００２８】
第２集積回路５２２はチャージポンプ５１０で生成された第３電圧(ＶＧＨ)と第４電圧(ＶＧＬ)を入力としてハイレベルにシフトされた第５電圧(ＶＧＨ１)及び第６電圧(ＶＧＬ１)を出力する。すなわち、第２集積回路５２２はレベルシフト集積回路の機能を遂行する。第５電圧(ＶＧＨ１)及び第６電圧(ＶＧＬ１)は、行駆動集積回路に供給されてディスプレイセル部(図示せず)の薄膜トランジスター(図示せず)をターンオンまたはターンオフさせることに使用される。
【００２９】
この時、第２集積回路５２２は、電圧調整器５２２aをさらに具備する。
【００３０】
電圧調整器５２２aは第３電圧(ＶＧＨ)、第４電圧(ＶＧＬ)、第５電圧(ＶＧＨ１)及び第６電圧(ＶＧＬ１)を調整して、ＥＥＰＲＯＭの記録動作または消去動作に必要な電圧である第８電圧(ＶＥ２)及び第９電圧(ＶＥ３)を生成する。
【００３１】
電圧調整器５２２aで電圧を調整するための基準電圧(reference voltage)は、第１集積回路５２１の内部に存在する基準電圧発生回路５２１ｃの出力電圧である第７電圧(ＶＥ１)が使用される。
【００３２】
図６は、本発明の他の一実施例による電圧調整器を具備した電源管理チップの構成を示すブロック図である。
【００３３】
本発明の他の一実施例による電圧調整器を具備した電源管理チップ６２０は、第１集積回路６２１及び第２集積回路６２２を具備する。
【００３４】
第１集積回路６２１はＥＥＰＲＯＭ６２１a、昇圧変換回路６２１ｂ及び基準電圧発生回路６２１ｃを具備する。昇圧変換回路６２１ｂは、外部から供給された第１電圧(ＶＣＣ)を利用して第２電圧(ＶＤＤ)を生成してチャージポンプ６１０に供給する。
【００３５】
チャージポンプ６１０は第２電圧(ＶＤＤ)を利用して第２電圧(ＶＤＤ)より高い電圧である第３電圧(ＶＧＨ)と第２電圧(ＶＤＤ)より低い電圧である第４電圧(ＶＧＬ)を生成する。このようなチャージポンプの動作は公知のものであるので詳細な説明は略することにする。
【００３６】
第２集積回路６２２はチャージポンプ６１０の出力である第３電圧(ＶＧＨ)及び第４電圧(ＶＧＬ)の入力を受けてハイレベルにシフトされた第５電圧(ＶＧＨ１)及び第６電圧(ＶＧＬ１)を出力する。
【００３７】
この時、第２集積回路６２２は第１電圧調整器６２２aをさらに具備する。
【００３８】
第１電圧調整器６２２aは第３電圧(ＶＧＨ)、第４電圧(ＶＧＬ)、第５電圧(ＶＧＨ１)または第６電圧(ＶＧＬ１)を調整して、ＥＥＰＲＯＭの記録動作または消去動作に必要な電圧である第８電圧(ＶＥ２)を生成する。この時、必要な基準電圧は、基準電圧発生回路６２１ｃの出力電圧である第７電圧(ＶＥ１)が使用される。
【００３９】
一方、第１集積回路６２１は第２電圧調整器６２１ｄをさらに具備する。
【００４０】
第２電圧調整器６２１ｄは第１電圧調整器６２２aから生成される第８電圧(ＶＥ２)を調整してＥＥＰＲＯＭの記録動作または消去動作に必要な電圧である第９電圧(ＶＥ３)を生成する。また、この時必要な基準電圧は基準電圧発生回路６２１ｃの出力電圧である第７電圧(ＶＥ１)が使用される。
【００４１】
ＥＥＰＲＯＭの記録動作または消去動作に必要な電圧のうちで第１電圧調整器６２２aから生成される第８電圧(ＶＥ２)が第２電圧調整器６２１ｄから生成される第９電圧(ＶＥ３)より高い電圧を有する。
【００４２】
上述したように本発明の一実施例による電圧調整器を具備した電源管理チップは、ＥＥＰＲＯＭの記録動作または消去動作に必要な電圧をシステムの動作過程で自然に発生した多様なレベルの電圧である第３電圧(ＶＧＨ)、第４電圧(ＶＧＬ)、第５電圧(ＶＧＨ１)及び第６電圧(ＶＧＬ１)を調整(regulation)して供給する。
【００４３】
したがって、ＥＥＰＲＯＭの記録動作または消去動作に必要な電圧を別の外部電圧源から供給を受けるための外部端子や高電圧生成回路が不必要になって、これによりチップサイズを減少させることができる。
【００４４】
以上では、本発明に対する技術思想を添付図面とともに敍述したが、これは本発明の望ましい実施例を例示的に説明したものであって、本発明を限定するものではない。また、本発明が属する技術分野で通常の知識を有した者なら誰も本発明の技術的思想の範疇を離脱しない範囲内で多様な変形及び模倣が可能であることは明白な事実である。
【符号の説明】
【００４５】
５２０  電源管理チップ
５２１  第１集積回路
５２１a  ＥＥＰＲＯＭ
５２１ｂ  昇圧変換回路
５２１ｃ  基準電圧発生回路
５２２  第２集積回路
【図１】
2012507758.tif 000003
【図２】
2012507758.tif 000004
【図３】
2012507758.tif 000005
【図４】
2012507758.tif 000006
【図５】
2012507758.tif 000007
【図６】
2012507758.tif 000008
【手続補正書】
【提出日】平成23年5月6日(2011.5.6)
【手続補正１】
【補正対象書類名】特許請求の範囲
【補正対象項目名】全文
【補正方法】変更
【補正の内容】
【特許請求の範囲】
【請求項１】
電源管理チップ(Power Management IC)において、
外部から供給された第１電圧(ＶＣＣ)を利用して第２電圧(ＶＤＤ)を生成してチャージポンプに供給する昇圧変換回路、基準電圧発生回路及びＥＥＰＲＯＭを具備した第１集積回路と、及び
前記チャージポンプの出力である第３電圧(ＶＧＨ)及び第４電圧(ＶＧＬ)の入力を受けて第５電圧(ＶＧＨ１)及び第６電圧(ＶＧＬ１)を出力する第２集積回路と、を具備して、
前記第２集積回路は前記基準電圧発生回路の出力電圧である第７電圧(ＶＥ１)を基準電圧にして前記第３電圧(ＶＧＨ)及び前記第４電圧(ＶＧＬ)、または前記第５電圧(ＶＧＨ１)及び前記第６電圧(ＶＧＬ１)を調整して、前記ＥＥＰＲＯＭの記録動作または消去動作に必要な電圧である第８電圧(ＶＥ２)及び第９電圧(ＶＥ３)を生成する電圧調整器をさらに具備することを特徴とする電圧調整器を具備した電源管理チップ。
【請求項２】
電源管理チップ(Power Management IC)において、
外部から供給された第１電圧(ＶＣＣ)を利用して第２電圧(ＶＤＤ)を生成してチャージポンプに供給する昇圧変換回路、基準電圧発生回路及びＥＥＰＲＯＭを具備した第１集積回路と、及び
前記チャージポンプの出力である第３電圧(ＶＧＨ)及び第４電圧(ＶＧＬ)の入力を受けて第５電圧(ＶＧＨ１)及び第６電圧(ＶＧＬ１)を出力する第２集積回路と、を具備して、
前記第２集積回路は前記第３電圧(ＶＧＨ)及び前記第４電圧(ＶＧＬ)、または前記第５電圧(ＶＧＨ１)及び前記第６電圧(ＶＧＬ１)を調整して前記ＥＥＰＲＯＭの記録動作または消去動作に必要な電圧である第８電圧(ＶＥ２)を生成する第１電圧調整器をさらに具備して、
前記第１集積回路は前記第８電圧(ＶＥ２)を調整して、前記ＥＥＰＲＯＭの記録動作または消去動作に必要な電圧である第９電圧(ＶＥ３)を生成する第２電圧調整器をさらに具備することを特徴とする電圧調整器を具備した電源管理チップ。
【請求項３】
前記第１電圧調整器は、前記基準電圧発生回路の出力電圧である第７電圧(ＶＥ１)を基準電圧にして前記第８電圧(ＶＥ２)を生成して、
前記第２電圧調整器は、前記基準電圧発生回路の出力電圧である第７電圧(ＶＥ１)を基準電圧にして前記第９電圧(ＶＥ３)を生成することを特徴とする請求項２に記載の電圧調整器を具備した電源管理チップ。
【請求項４】
前記昇圧変換回路で生成された前記第２電圧(ＶＤＤ)は、列駆動集積回路を駆動することに使用されることを特徴とする請求項１または３に記載の電圧調整器を具備した電源管理チップ。
【請求項５】
前記第５電圧(ＶＧＨ１)及び第６電圧(ＶＧＬ１)は、
行駆動集積回路に供給されて、ディスプレイセルの薄膜トランジスターをターンオンまたはターンオフさせることに使用されることを特徴とする請求項１または３に記載の電圧調整器を具備した電源管理チップ。
【請求項６】
前記第８電圧(ＶＥ２)は、前記第９電圧(ＶＥ３)よりハイレベルであることを特徴とする請求項１または３に記載の電圧調整器を具備した電源管理チップ。
【国際調査報告】
2012507758.tif 000009
2012507758.tif 000010
2012507758.tif 000011
2012507758.tif 000012